(57)【要約】      （修正有）【課題】肘部や膝部が曲げやすく、消火活動における動作をスムーズに行うことができ、着衣者の疲労やストレスの少ない防火服を提供する。【解決手段】防火服の上着を構成する筒状の袖部の肘頭位置、あるいは防火服のズボン３１を構成する筒状の脚部の膝頭位置の両側に、袖部または脚部の長手方向に延びるマチパーツ４３、４３を配置することで、肘部分あるいは膝部分を内側に向けて屈曲させた屈曲姿勢を立体的に作り出す。肘頭あるいは膝頭の両サイドに三角形、あるいは舟形などのマチパーツ４３、４４を配置することで、マチパーツ４３、４４部分での縦方向の縫製となり、布地の重なりを抑えることができる。また、屈曲動作における防火服の生地のしわが生じにくく、身体にフィットしたスリムな立体形状を可能とし、それによって防火服の重量の軽減、消火活動における活動性の向上、着衣者の疲労、ストレスの低減が可能となる。【選択図】図２
2019206784.tif 000002
【特許請求の範囲】
【請求項１】
防火服の上着を構成する筒状の袖部の肘頭位置の両側に袖部の長手方向に延びるマチパーツを配置することで、前記袖部の肘部分を肘の内側に向けて屈曲させた屈曲姿勢を立体的に作り出してあることを特徴とする防火服。
【請求項２】
請求項１記載の防火服において、肘頭部分には肘当てが設けられていることを特徴とする防火服。
【請求項３】
防火服のズボンを構成する筒状の脚部の膝頭位置の両側に脚部の長手方向に延びるマチパーツを配置することで、前記脚部の膝部分を膝の内側に向けて屈曲させた屈曲姿勢を立体的に作り出してあることを特徴とする防火服。
【請求項４】
請求項４記載の防火服において、膝頭部分には膝当てが設けられていることを特徴とする防火服。
【請求項５】
請求項３または４記載の防火服において、脚部の上脚部と下脚部との間に膝パーツが設けられており、膝パーツの上側の縫い付け切替えラインと下側の縫い付け切替えラインが膝裏の上下に分かれていることを特徴とする防火服。
【発明の詳細な説明】
【技術分野】
【０００１】
本発明は、消防隊員などが一般火災の消火活動時等に着用する防火服の改良に係り、特に消火活動時における機能性を向上させた防火服の上着およびズボンに関するものである。
【背景技術】
【０００２】
従来、防火服の上着として、左右の前身頃および後身頃を有する本体部に左右の袖を取付けた外衣と内衣とを備え、外衣の本体部裏面に内衣の本体部をファスナーあるいはホックなどにより着脱可能に保持させ、外衣の左右の袖内に内衣の左右の袖を着脱可能に嵌めたものが一般に用いられている。その他、外衣のみからなるものもある。
【０００３】
また、防火服のズボンとして、腰部、上脚部を覆う左右の上脚部、下方に延びる左右の下脚部をそれぞれ連結した外衣と内衣とを備え、外衣内に内衣を着脱可能に装着したもの、或いは、単層式あるいは複層式の生地によって形成した外衣のみからなるものがある。
【０００４】
そして、外衣はアラミド繊維などの断熱性に優れた難燃繊維生地またはアラミド繊維の上面にアルミニウムの蒸着を施した非通気性の生地を使用することで、耐炎性を向上させ、内衣は、耐熱性、断熱性のすぐれた透湿防水生地を用いて構成しているのが一般的である。
【０００５】
従来の防火服の例として、本件出願人による特許文献１では、防火服の上着の本体部に装着される左右の袖を袖の筒状の稜線部（上面部）が首部より次第に上方に向くように傾斜させて取り付けることで、左右の袖の上方への引き上げ回動時に、本体部が袖と共に、上方へ引き上げられて偏倚しないように余裕をもたせて形成し、着衣の機能性を向上させ着衣者の消火活動を容易にするようにした防火服の上着を開示している。
【０００６】
また、本件出願人による特許文献２では、防火服のズボンにおいて、外衣および内衣の各本体部は、それぞれ左右の前身頃に左右の後身頃を縫い付け、かつ左右の後身頃を互いに縫い付けて脚曲げ余裕部を形成し、左右の前身頃と左右の後身頃との下部によって筒状に形成した左右の上脚部に筒状の左右の下脚部をそれぞれ連結し、連結部の前部に膝曲げ余裕部が形成された防火服のズボンを開示している。
【先行技術文献】
【特許文献】
【０００７】
【特許文献１】特許第３６１６２８８号公報
【特許文献２】特許第３６２２２６８号公報
【発明の概要】
【発明が解決しようとする課題】
【０００８】
防火服は、一般に耐熱性や縫い目における防水を図るため、一般の衣服に比べ重量が大きく、変形の自由度が小さいため、消火活動における着衣者の肘や膝の屈曲姿勢において動作の妨げとなり、着衣者のストレスや疲労の原因となっている。
【０００９】
また、着衣者の動作により防火服にしわが寄ったり、身体を屈曲させて防火服に密着する部分で熱の影響を受けて熱傷を受ける恐れがあることから、着衣者の動作に対しできるだけ均等な余裕を持たせる形状が望ましい。
【００１０】
防火服の重量を低減し、活動しやすくするためには、熱の影響を受けにくいように余裕を持たせた上で、身体にフィットした細みのスタイルとすることが望ましい。
【００１１】
そのための従来の手法としては、肘頭、膝頭に向け複数のダーツを配し、屈曲姿勢を立体的に作り出す、または、肘、膝の裏側に切替え線を配し屈曲姿勢を立体的に作り出す、もしくはその両方の手法を用い立体的に作り出すといった手法が採用され、肘、膝に対し横方向のデザインを有している。
【００１２】
しかし、ダーツを用いる手法は、布地の厚い防火服用途では布地の重なり部分が硬化し、ミシン針の欠損から針の一部が衣服内に残留し、人体に危害を及ばす可能性がある。また、硬化部分が動作作業中に人体に不快感を生み出してしまうといった問題がある。
【００１３】
切替え線を用いる手法では、設定屈曲角度を超える動作においては、その縫代、縫い目が皮膚の弱い部分である肘裏、膝裏側に当たり、その刺激が繰り返されることで不快感となり消火活動に悪影響を及ぼすという問題がある。
【００１４】
本発明は、前述した問題点を解決して、肘部や膝部を曲げやすく、これらを自由に動かすことで消火活動における動作をスムーズに行うことができ、また着衣者の疲労やストレスの少ない防火服を提供することを目的としている。
【課題を解決するための手段】
【００１５】
本発明の防火服の第一の形態は、防火服の上着を構成する筒状の袖部の肘頭位置の両側に袖部の長手方向に延びるマチパーツを配置することで、前記袖部の肘部分を肘の内側に向けて屈曲させた屈曲姿勢を立体的に作り出してあることを特徴とするものである。
【００１６】
第一の形態は防火服の上着の肘部分を工夫したもので、肘頭の両サイドに三角形、あるいは舟形などのマチパーツとしての布を配置することで、肘の屈曲姿勢を立体的に作り出すようにしたものである。なお、肘頭の部分には肘当てを取り付けるなどの補強することができる。
【００１７】
防火服の屈曲姿勢を作り出す場合に、ダーツやタックは縫製上からも着衣者の消火活動上も前述した種々の問題があるのに対し、肘頭の両サイドにマチパーツを配置して立体的な屈曲姿勢を作り出すようにすれば、袖の長手方向に延びるマチパーツ部分での縦方向（袖長手方向）の縫製となり、布地の重なりを抑え、生地の厚い防火服の縫製におけるミシン針の欠損などの問題を防ぐことができる。
【００１８】
また、縫い付け切替え線が縦方向であることから、屈曲動作における防火服の生地のしわが生じにくく、身体にフィットしたスリムな立体形状を可能とし、それによって防火服の重量の軽減、消火活動における活動性の向上、着衣者の疲労、ストレスの低減が可能となる。
【００１９】
本発明の防火服の第二の形態は、防火服のズボンを構成する筒状の脚部の膝頭位置の両側に脚部の長手方向に延びるマチパーツを配置することで、前記脚部の膝部分を膝の内側に向けて屈曲させた屈曲姿勢を立体的に作り出してあることを特徴とするものである。
【００２０】
第二の形態は防火服のズボンの膝部分を工夫したもので、膝頭の両サイドに三角形、あるいは舟形などのマチパーツとしての布を配置することで、膝の屈曲姿勢を立体的に作り出すようにしたものである。なお、膝頭の部分には膝当てを取り付けるなどの補強をすることができる。
【００２１】
基本的な考え方は、第一の形態の防火服の上着の肘部の場合と同様であり、膝頭の両サイドにマチパーツを配置して立体的な屈曲姿勢を作り出すようにすれば、ズボンの脚部の長手方向に延びるマチパーツ部分での縦方向の縫製となり、布地の重なりを抑え、生地の厚い防火服の縫製におけるミシン針の欠損などの問題を防ぐことができる。
【００２２】
また、縫い付け切替え線が縦方向であることから、屈曲動作における防火服の生地のしわが生じにくく、身体にフィットしたスリムな立体形状を可能とし、それによって防火服の重量の軽減、消火活動における活動性の向上、着衣者の疲労、ストレスの低減が可能となる。
【００２３】
なお、従来の防火服のズボンのように、脚部の上脚部と下脚部との間に縫い付け切替えラインが入る形式では、筋力がなく敏感な部分である膝裏が着衣者の動作に伴って縫い付け部分に触れることで不快感や痛みの原因となる。
【００２４】
これに対し、ズボンの脚部の上脚部と下脚部との間に膝パーツを設け、膝パーツの上側の縫い付け切替えラインと下側の縫い付け切替えラインが膝裏の上下に分かれるようにすれば、膝裏の不快感をなくすことができる。
【発明の効果】
【００２５】
本発明の防火服の第一の形態のように、防火服の上着の肘部分について、肘頭の両サイドに三角形、あるいは舟形などのマチパーツとしての布を配置することで、肘の屈曲姿勢を立体的に作り出すようにすれば、袖の長手方向に延びるマチパーツ部分での縦方向の縫製となり、布地の重なりを抑え、ミシン針の欠損などの問題を防ぐことができる。
【００２６】
同様に、本発明の防火服の第二の形態のように、防火服のズボンの膝部分について、膝頭の両サイドにマチパーツを配置して立体的な屈曲姿勢を作り出すようにすれば、ズボンの脚部の長手方向に延びるマチパーツ部分での縦方向の縫製となり、布地の重なりを抑え、ミシン針の欠損などの問題を防ぐことができる。
【００２７】
また、第一の形態、第二の形態とも、屈曲動作における防火服の生地のしわが生じにくく、身体にフィットしたスリムな立体形状を可能とし、それによって防火服の重量の軽減、消火活動における活動性の向上、着衣者の疲労、ストレスの低減が可能となる。
【００２８】
また、本発明の防火服の第二の形態において、ズボンの脚部の上脚部と下脚部との間に膝パーツを設け、膝パーツの上側の縫い付け切替えラインと下側の縫い付け切替えラインが膝裏の上下に分かれるようにすることで、膝裏の不快感をなくすことができる。
【図面の簡単な説明】
【００２９】
【図１】本発明の防火服の上着の一実施例を示したもので、(a)は袖部を下げた状態の正面図、(b)は袖部を下げた状態の左側面図、(c)は袖部を下げた状態の背面図、(d)は縫い付けどおりの自然な立体形状で示した右側面図である。
【図２】本発明の防火服のズボンの一実施例を示したもので、(a)は正面図、(b)は左側面図、(c)は背面図である。
【発明を実施するための形態】
【００３０】
以下、本発明の防火服の具体的な実施形態を、図１（上着を対象として第一の形態）、図２（ズボンを対象として第二の形態）に基づいて説明する。
【００３１】
図１は本発明の防火服の上着の一実施例を示したもので、(a)は袖部を下げた状態の正面図、(b)は袖部を下げた状態の左側面図、(c)は袖部を下げた状態の背面図、(d)は縫い付けどおりの自然な立体形状で示した右側面図である。
【００３２】
図中、１は消防服の上着全体を示し、左右の前身頃３、後身頃４、左右の肩パーツ９とによって、上着１の本体部２が立体的な筒状に形成され、本体部２の左右の袖ぐりに筒状に形成された左右の袖部５、衿ぐりに衿６が取り付けられている。
【００３３】
そして、上着１の腋下位置に、本体部２の前見頃３と後見頃４との間から左右の袖部５の袖口方向へ向けて帯状に延びる腋下マチパーツ７を設け、この腋下マチパーツ７を斜め上方かつ斜め前方に向くように傾斜させて取り付けてあり、図１(d)に示すように、左右の袖部５を、腋下マチパーツ７が縫い付けの切替え線に沿って自然に展張された状態では、袖部５の長手方向が斜め上方かつ斜め前方に向くように傾斜する。
【００３４】
このような構成とすることで、着衣者の腕が前方に振り出されたときの上着本体部の上方および前方へ偏倚、特に後裾の吊れ上がりを抑制することができ、袖部の立体形状が眼より前方の動作を想定した方向を基準としているため、消火作業において着衣者は前方に腕を振り出す動作をスムーズに行うことができ、空気呼吸器を上着の上からバンドで固定した状態でも腕の前方での動作に支障が生じない
本実施例において、袖部５は、上腕袖パーツ１１、前腕袖パーツ１２からなり、肘頭位置に肘当て１０を縫い付けてある。また、肘頭位置に取り付けられた肘当て１０の片側に上述の腋下マチパーツ７の上端部が位置し（図１(d)参照）、肘当て１０の反対側に袖部外側マチパーツ１３を配置することで、袖部５の肘部分を肘の内側に向けてわずかに屈曲させた屈曲姿勢を立体的に作り出している。
【００３５】
そのため、消火活動における腕の動作において、肘頭が袖部に密着した状態で圧迫される状態が軽減され、腕の動作がスムーズとなり、袖部分にしわが生じにくく、また防火服の腕への圧着部分から受けやすい熱の影響も軽減できる。
【００３６】
また、屈曲姿勢を立体的に作り出しているため、上記の効果に加え、袖部５をよりスリムな形状とすることができる。スリムな形状とすることで、使用する布地の量も減らすことができ、防火構造に起因して重量が大きくなっている防火服の重量軽減効果、重量軽減により着衣者の体力的な負担やストレスが軽減され、活動しやすくなるといった副次的な効果も得られる。
【００３７】
その他、本体部２の前面に設けられる当て布８、前見返し１４、後見返し１５、袖口見返し１６、反射シート２１などの構成は、従来の防火服と大きく異なるものではなく、生地はアラミド繊維等の難然性の織布にアルミニウムを蒸着した非通気性の生地などが使用される。
【００３８】
また、本実施例に関して、防火服の上着１を構成する外衣や内衣の関係、縫製の仕方、生地の種類などは特に説明していないが、従来の防火服一般と同様に考えることができ、特に限定されるものではない。
【００３９】
図２は本発明の防火服のズボンの一実施例を示したもので、(a)は正面図、(b)は左側面図、(c)は背面図である。
【００４０】
図中、３１は消防服のズボン全体を示し、左右の前ヨーク３２、後ヨーク３３、左右の上脚部前見頃３４、左右の上脚部後見頃３５、および腰部の側面に介在させた腰部マチパーツ４１、股下位置で上脚部前見頃３４と左右の上脚部後見頃３５との間に介在させた股下マチパーツ３６などによって、ズボン３１の筒状の腰部から左右の筒状の上脚部が形成されている。
【００４１】
また、左右の上脚部の下方に膝裏を保護する膝パーツ３９を挟んで、左右の下脚部前見頃３７と左右の下脚部後見頃３８が取り付けられて、裾口４５までの下脚部が形成されている。膝パーツ３９を介在させたのは、膝パーツ３９の上側の縫い付け切替えラインと下側の縫い付け切替えラインが膝裏の上下に分かれるようにすることで、膝裏の不快感をなくすためである。
【００４２】
そして、上脚部と下脚部の間に位置する膝頭（本実施例では膝当て４２を取り付けているが、膝当て４２はなくてもよい）の両サイドにズボン１の脚部の長手方向（上下方向）に延びる内側マチパーツ４３と外側マチパーツ４４を設けることで、図２(b)に示されるような立体的な屈曲姿勢の筒形状を形成させている。
【００４３】
このような縦方向の内側マチパーツ４３と外側マチパーツ４４を膝頭の両サイドに設けることで、布地の重なりを抑えつつ、屈曲動作における防火服の生地のしわが生じにくく、身体にフィットしたスリムな立体形状を実現し、防火服の重量の軽減、消火活動における活動性の向上、着衣者の疲労、ストレスの低減を可能としている。
【００４４】
その他、本実施例において、図中、２１は反射シート、４０は前立、４６はサイドポケット、４７はベルト通し、４８はベルトを示す。
【００４５】
なお、本実施形態において、外衣１を構成する前ヨーク３２、後ヨーク３３、上脚部前見頃３４、上脚部後見頃３５、股下マチパーツ３６、下脚部前見頃３７、下脚部後見頃３８、膝パーツ３９、前立４０、腰部マチパーツ４１、内側マチパーツ４３、外側マチパーツ４４などの生地には、アラミド繊維などの難燃性の織布を用いるのが好ましい。
【００４６】
また、本実施例に関して、防火服のズボン３１を構成する外衣や内衣の関係、縫製の仕方、生地の種類などは特に説明していないが、従来の防火服一般と同様に考えることができ、特に限定されるものではない。
【符号の説明】
【００４７】
１…防火服の上着、２…本体部、３…前見頃、４…後見頃、５…袖部、６…衿、７…腋下マチパーツ、８…当て布、９…肩パーツ、１０…肘当て、１１…上腕袖パーツ、１２…前腕袖パーツ、１３…袖部外側マチパーツ、１４…前見返し、１５…後見返し、１６…袖口見返し、１７…袖部上面側パーツ、１８…袖部下面側パーツ、１９…袖口パーツ、
２１…反射シート
３１…防火服のズボン、３２…前ヨーク、３３…後ヨーク、３４…上脚部前見頃、３５…上脚部後見頃、３６…股下マチパーツ、３７…下脚部前見頃、３８…下脚部後見頃、３９…膝パーツ、４０…前立、４１…腰部マチパーツ、４２…膝当て、４３…内側マチパーツ、４４…外側マチパーツ、４５…裾口、４６…ポケット、４７…ベルト通し、４８…ベルト
【図１】
2019206784.tif 000003
【図２】
2019206784.tif 000004